(57)【要約】【課題】  本発明は包装紙を用いることなくラップで密封することにより、販売段階でも包装ケースのデザインがわかるようにするとともに、内容物を取り出してもカード飾りとして使用したり、カードだけを取り外して使用することができる包装ケースを得るにある。【解決手段】  蓋板支持部が形成された包装ケース本体と、この包装ケース本体の蓋板支持部に支持される蓋板と、この蓋板の表面に取付けられた写真、３Ｄ写真、絵葉書等のカードと、前記蓋板の背面に設けられた該蓋板を立設することができる脚部材とで包装ケースを構成している。【選択図】  図２
2007320595.tif 000002
【特許請求の範囲】
【請求項１】
蓋板支持部が形成された包装ケース本体と、この包装ケース本体の蓋板支持部に支持される蓋板と、この蓋板の表面に取付けられた写真、３Ｄ写真、絵葉書等のカードと、前記蓋板の背面に設けられた該蓋板を立設することができる脚部材とを備えることを特徴とする包装ケース。
【請求項２】
包装ケース本体と、この包装ケース本体の開口部を覆う、該包装ケース本体の一端部と一体あるいは一端部に取付けられた開閉蓋と、この開閉蓋の表面に取付けられた写真、３Ｄ写真、絵葉書等のカードと、前記開閉蓋を開放状態に保持する保持手段とからなることを特徴とする包装ケース。
【請求項３】
包装ケース本体と、この包装ケース本体の開口部を覆う蓋と、この蓋の表面に着脱可能に取付けられた写真、３Ｄ写真、絵葉書等のカードとからなることを特徴とする包装ケース。
【請求項４】
包装ケース本体と、この包装ケース本体の開口部を覆う蓋と、この蓋の表面に着脱可能に取付けられた額縁板と、この額縁板の表面に取付けられた写真、３Ｄ写真、絵葉書等のカードと、前記額縁板の背面に設けられた、該額縁板を立設することができる脚部材とからなることを特徴とする包装ケース。
【発明の詳細な説明】
【技術分野】
【０００１】
本発明は菓子等の贈答品を包装する包装ケースに関する。
【背景技術】
【０００２】
従来の包装ケースは菓子等を収納する包装ケース本体と、この包装ケース本体の開口部を覆う蓋とからなり、包装ケース本体内に菓子等を収納して、蓋で開口部を覆った後、包装紙で包装している。
【０００３】
このため、包装ケースにデザインをこうしても、包装紙で覆われるとお店から包装紙を外すまでは包装ケースのデザインを見ることができないという欠点があるとともに、包装紙の使用により経費がかかり、ゴミの発生につながるという欠点があった。
【特許文献１】実開平７−４３１２
【発明の開示】
【発明が解決しようとする課題】
【０００４】
本発明は以上のような従来の欠点に鑑み、包装紙を用いることなくラップで密封することにより、販売段階でも包装ケースのデザインがわかるようにするとともに、内容物を取り出してもカード飾りとして使用したり、カードだけを取り外して使用することができる包装ケースを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は蓋板支持部が形成された包装ケース本体と、この包装ケース本体の蓋板支持部に支持される蓋板と、この蓋板の表面に取付けられた写真、３Ｄ写真、絵葉書等のカードと、前記蓋板の背面に設けられた該蓋板を立設することができる脚部材とで包装ケースを構成している。
【０００７】
本発明は包装ケース本体と、この包装ケース本体の開口部を覆う、該包装ケース本体の一端部と一体あるいは一端部に取付けられた開閉蓋と、この開閉蓋の表面に取付けられた写真、３Ｄ写真、絵葉書等のカードと、前記開閉蓋を開放状態に保持する保持手段とで包装ケースを構成している。
【０００８】
本発明は包装ケース本体と、この包装ケース本体の開口部を覆う蓋と、この蓋の表面に着脱可能に取付けられた写真、３Ｄ写真、絵葉書等のカードとで包装ケースを構成している。
【０００９】
本発明は包装ケース本体と、この包装ケース本体の開口部を覆う蓋と、この蓋の表面に着脱可能に取付けられた額縁板と、この額縁板の表面に取付けられた写真、３Ｄ写真、絵葉書等のカードと、前記額縁板の背面に設けられた、該額縁板を立設することができる脚部材とで包装ケースを構成している。
【発明の効果】
【００１０】
以上の説明から明らかなように、本発明にあっては次に列挙する効果が得られる。
【００１１】
（１）蓋板支持部が形成された包装ケース本体と、この包装ケース本体の蓋板支持部に支持される蓋板と、この蓋板の表面に取付けられた写真、３Ｄ写真、絵葉書等のカードと、前記蓋板の背面に設けられた該蓋板を立設することができる脚部材とで構成されているので、包装ケース本体内に菓子等の内容物を入れ、蓋板で蓋をしてラップで密封することにより、外部より蓋板の表面の写真、３Ｄ写真、絵葉書等のカードを見えるようにできる。
したがって、カードによって包装ケースのデザイン化を図ることができ、カードを変えるだけで異なるデザインの包装ケースにできる。
【００１２】
（２）前記（１）によって、包装紙が不要となり、コストの低減を図ることができるとともに、包装紙がゴミになるような不具合を防止することができる。
【００１３】
（３）前記（１）によって、使用後は蓋板を写真立てと同様に使用することができる。
【００１４】
（４）請求項２も前記（１）、（２）と同様な効果が得られるとともに、開閉蓋を保持手段によって開放状態に保持することにより、開閉蓋を写真立てと同様にして使用することができる。
【００１５】
（５）請求項３も前記（１）、（２）と同様な効果が得られる。
【００１６】
（６）請求項４も前記（１）〜（３）と同様な効果が得られる。
【発明を実施するための最良の形態】
【００１７】
以下、図面に示す本発明を実施するための最良の形態により、本発明を詳細に説明する。
【００１８】
図１ないし図７に示す本発明を実施するための最良の第１の形態において、１は菓子等の内容物を包装する本発明の包装ケースで、この包装ケース１は蓋板支持部２が形成された包装ケース本体３と、この包装ケース本体３の蓋板支持部２に支持される蓋板４とで構成されている。
【００１９】
前記包装ケース本体３は厚紙で箱状に形成された包装ケース体５と、この包装ケース体５の内壁面に沿うように差し込まれた上部に蓋板支持部２が形成された蓋板支持部材６とで構成されている。
【００２０】
前記蓋板４は厚紙を２つ折りして前記包装ケース本体３の開口部３ａを覆うように、蓋板支持部２に支持される蓋板本体７と、この蓋板本体７の表面板７ａに形成されたカード取付け用切り欠部８、８、８、８と、このカード取付け用切り欠部８、８、８、８に四角部が差し込まれて着脱可能に取付けられた写真、３Ｄ写真、絵葉書等のカード９と、前記蓋板本体７の背面板７ｂに打ち抜き形成された、前記蓋板４を立設することができる一対の脚１０、１０および、該一対の脚１０、１０を固定状態に保持する保持部材１１とからなる脚部材１２と、前記表面板７ａのカード９の外周部にプリントされた額縁模様１３や文字１４等の装飾模様１５とで構成されている。
なお、背面板７ｂの上部には壁掛け用の係止片１６を切り欠き形成してもよい。
【００２１】
上記構成の包装ケース１は、包装ケース本体３内に菓子等の内容物１７を収納し、開口部３ａを蓋板４で覆い、透明なラップ１８で密封して市販される。
このため、包装ケース１の蓋板４にカード９や装飾模様１５でデザイン化されているため、包装紙を用いることなく販売することができる。
包装ケース１としての役目を終えた場合には、蓋板４の背面板７ｂの一対の脚１０、１０をほぼ９０度折り曲げ、保持部材１１で保持して脚部材１２を固定することにより、写真立てと同様に使用することができる。
また、表面板７ａよりカード９を取り出して使用することもできる。
[発明を実施するための異なる形態]
【００２２】
次に、図８ないし図２４に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図８ないし図１１に示す本発明を実施するための第２の形態において、前記本発明を実施するための最良の第１の形態と主に異なる点は、包装ケース本体３の開口部３ａを覆う箱状の蓋１９の表面にカード取付け用切り欠部８、８、８、８を形成し、該カード取付け用切り欠部８、８、８、８に前記蓋板と同一構成のカード取付体２０を着脱可能に取付けた点で、このように構成した包装ケース１Ａ  にしても、前記本発明を実施するための最良の第１の形態と同様な作用効果が得られる。
【００２４】
図１２および図１３に示す本発明を実施するための第３の形態において、前記本発明を実施するための第２の形態と主に異なる点は、蓋１９の表面に直角三角形の斜辺２１が開口するカード取付け具２２、２２、２２、２２を接着剤等で取付け、該カード取付け具２２、２２、２２、２２にカード取付体２０の四角部を差し込んで取付けた点で、このようなカード取付け具２２、２２、２２、２２を用いて構成した包装ケース１Ｂにしても、前記本発明を実施するための第２の形態と同様な作用効果が得られる。
【００２５】
図１４および図１５に示す本発明を実施するための第４の形態において、前記本発明を実施するための第２の形態と主に異なる点は、蓋１９に形成したカード取付け用切り欠部８、８、８、８に直接写真、３Ｄ写真、絵葉書等のカード９を着脱可能に取付けた点で、このように構成した包装ケース１Ｃにしても、前記本発明を実施するための第２の形態と同様な作用効果が得られる。
【００２６】
図１６ないし図１８に示す本発明を実施するための第５の形態において、前記本発明を実施するための第２の形態と主に異なる点は、二等辺三角形状で底辺を内側へ折りたためるように折り線を形成したカード取付体本体２３を使用したカード取付体２０Ａを用いた点で、このように構成した包装ケース１Ｄにしても、前記本発明を実施するための第２の形態と同様な作用効果が得られる。
【００２７】
図１９ないし図２１に示す本発明を実施するための第６の形態において、前記本発明を実施するための第２の形態と主に異なる点は、包装ケース本体３の開口部３ａを覆う、該包装ケース本体３の一端部と一体あるいは一端部に取付けられた、該開口部３ａの一部を開閉不能に覆った状態に覆う、カード取付体２０が取付けられた開閉蓋２４を用いるとともに、該開閉蓋２４の後端両側部に係止片２５、２５を形成し、該係止片２５、２５を開閉蓋２４の開放状態を保つことができるように包装ケース本体３の両側部に係合孔２６、２６を形成した開閉蓋２４の保持手段２７を用いた点で、このように構成した包装ケース１Ｅにしても、前記本発明を実施するための第２の形態と同様な作用効果が得られるとともに、包装ケース本体３を小物入れとしても使用することができる。
【００２８】
図２２ないし図２４に示す本発明を実施するための第７の形態において、前記本発明を実施するための第６の形態と主に異なる点は、包装ケース本体３の開口部３ａを全開することができる開閉蓋２４Ａにカード９を着脱可能に取付けるとともに、包装ケース本体３の開閉蓋２４Ａの反開口部側の両側面上面に係止孔２８、２８を形成し、該係止孔２８、２８に開閉蓋２４の開放状態を保持する係止片２９、２９を一体形成、あるいは固定的に取付けた保持手段２７Ａを用いた点で、このように構成した包装ケース１Ｆにしても、前記本発明を実施するための第６の形態と同様な作用効果が得られる。
【００２９】
なお、前記本発明を実施する各形態は、他の本発明を実施する形態に用いても同様な作用効果が得られる。
【産業上の利用可能性】
【００３０】
本発明は包装ケースを製造する産業で利用される。
【図面の簡単な説明】
【００３１】
【図１】本発明を実施するための最良の第１の形態の説明図。
【図２】本発明を実施するための最良の第１の形態の分解斜視図。
【図３】本発明を実施するための最良の第１の形態の蓋板の正面図。
【図４】本発明を実施するための最良の第１の形態の蓋板の背面図。
【図５】本発明を実施するための最良の第１の形態の蓋板の分解斜視図。
【図６】本発明を実施するための最良の第１の形態の蓋板の使用状態の側面図。
【図７】本発明を実施するための最良の第１の形態の蓋板の使用状態の背面図。
【図８】本発明を実施するための第２の形態の説明図。
【図９】本発明を実施するための第２の形態の分解斜視図。
【図１０】本発明を実施するための第２の形態のカード取付体の分解斜視図。
【図１１】本発明を実施するための第２の形態のカード取付体の背面図。
【図１２】本発明を実施するための第３の形態の説明図。
【図１３】本発明を実施するための第３の形態の分解斜視図。
【図１４】本発明を実施するための第４の形態の説明図。
【図１５】本発明を実施するための第４の形態の分解斜視図。
【図１６】本発明を実施するための第５の形態の説明図。
【図１７】本発明を実施するための第５の形態の分解斜視図。
【図１８】本発明を実施するための第５の形態のカード取付体の使用説明図。
【図１９】本発明を実施するための第６の形態の説明図。
【図２０】本発明を実施するための第６の形態の分解斜視図。
【図２１】本発明を実施するための第６の形態の使用状態の説明図。
【図２２】本発明を実施するための第７の形態の説明図。
【図２３】本発明を実施するための第７の形態の分解斜視図。
【図２４】本発明を実施するための第７の形態の使用状態の説明図。
【符号の説明】
【００３２】
１、１Ａ、１Ｂ、１Ｃ、１Ｄ、１Ｅ、１Ｆ：包装ケース、
２：蓋板支持部、                            ３：包装ケース本体、
４：蓋板、                                        ５：包装ケース体、            
６：蓋板支持部材、                                    ７：蓋板本体、
８：カード取付け用切り欠部、    ９：カード、
１０：脚、                                        １１：保持部材、
１２：脚部材、                                １３：額縁模様、
１４：文字、                                                １５：装飾模様、
１６：係止片、                                １７：内容物、
１８：ラップ、                                １９：蓋、
２０、２０Ａ：カード取付体、    ２１：斜辺、
２２：カード取付け具、                ２３：カード取付体本体、
２４、２４Ａ：開閉蓋、                ２５：係止片、
２６：係合孔、                                ２７、２７Ａ：保持手段、
２８：係止孔、                                ２９：係止片。
【図１】
2007320595.tif 000003
【図２】
2007320595.tif 000004
【図３】
2007320595.tif 000005
【図４】
2007320595.tif 000006
【図５】
2007320595.tif 000007
【図６】
2007320595.tif 000008
【図７】
2007320595.tif 000009
【図８】
2007320595.tif 000010
【図９】
2007320595.tif 000011
【図１０】
2007320595.tif 000012
【図１１】
2007320595.tif 000013
【図１２】
2007320595.tif 000014
【図１３】
2007320595.tif 000015
【図１４】
2007320595.tif 000016
【図１５】
2007320595.tif 000017
【図１６】
2007320595.tif 000018
【図１７】
2007320595.tif 000019
【図１８】
2007320595.tif 000020
【図１９】
2007320595.tif 000021
【図２０】
2007320595.tif 000022
【図２１】
2007320595.tif 000023
【図２２】
2007320595.tif 000024
【図２３】
2007320595.tif 000025
【図２４】
2007320595.tif 000026